(57)【特許請求の範囲】
【請求項１】
車両に備えられる車両側装置と、該車両を運転する運転者に携帯させる運転者側装置と、運転者が立ち寄りうる施設に備えられる施設側装置と、で構成される情報提供システムであって、
前記車両側装置は、
車両における各部分の状態を検出する状態検出手段と、
該状態検出手段により検出される状態に基づいて、運転者が降車したことを検出する降車検出手段と、
該降車検出手段により運転者の降車が検出された際に、前記状態検出手段により検出される状態である検出状態，および，運転者が降車する際の通常の状態として定められた通常状態が関連づけられた関連情報を、前記運転者側装置に送信する車両側送信手段と、
前記状態検出手段により状態が検出された際に、前記通常状態を、前記検出状態が反映された状態となるように修正する状態修正手段と、を備えており、
前記運転者側装置は、
前記車両側装置から送信される関連情報を記憶する情報記憶手段と、
該情報記憶手段により記憶された関連情報を、前記施設側装置に送信する運転者側送信手段と、を備えており、
前記施設側装置は、
前記運転者側装置から送信される関連情報に基づいて、該関連情報に関連づけられた前記検出状態と前記通常状態とが同視しうる状態であるか否か、および、同視しうる状態でない場合においてどの程度相違しているかを表す相違度合を判定する相違判定手段と、
該相違判定手段による判定結果に応じた報知を行う報知手段と、を備えている
ことを特徴とする情報提供システム。
【請求項２】
前記車両側装置において、
前記車両側送信手段は、前記降車検出手段により運転者の降車が検出された際に、前記検出状態として検出された各部分の状態をそれぞれ数値化したパラメータからなるパラメータ群，および，前記通常状態である各部分の状態をそれぞれ数値化したパラメータからなるパラメータ群を特定可能な情報を、前記関連情報として前記運転者側装置に送信する、ように構成されており、
前記施設側装置において、
前記相違判定手段は、前記運転者側装置から送信される関連情報に基づいて、該関連情報で特定されるパラメータ群それぞれのパラメータを、車両における同一部分の状態を数値化したパラメータ同士で比較し、該比較したパラメータの中に、所定のしきい値以上相違しているパラメータが存在しているか否かを判定する、ように構成されている
ことを特徴とする請求項１に記載の情報提供システム。
【請求項３】
前記車両側装置においては、
前記降車検出手段により運転者の降車が検出された際に、前記検出状態として検出された各部分の状態を数値化したパラメータからなるパラメータ群，および，前記通常状態である各部分の状態を数値化したパラメータからなるパラメータ群を、車両における同一部分の状態を数値化したパラメータ同士で比較する状態比較手段を備え、
前記車両側送信手段が、前記状態比較手段による比較の結果を示す情報を、前記関連情報として前記運転者側装置に送信する、ように構成されており、
前記施設側装置において、
前記相違判定手段は、前記運転者側装置から送信される関連情報で示される比較の結果に基づいて、前記検出状態として検出された各部分の状態を数値化したパラメータの中に、前記通常状態である各部分の状態を数値化したパラメータと比較して所定のしきい値以上相違するパラメータが存在しているか否かを判定する、ように構成されている
ことを特徴とする請求項１に記載の情報提供システム。
【請求項４】
前記車両側装置において、
前記車両側送信手段は、前記状態比較手段による比較の結果、前記検出状態として検出された各部分の状態を数値化したパラメータの中に、前記通常状態である各部分の状態を数値化したパラメータと比較して所定のしきい値以上相違しているパラメータが存在している場合にのみ、その旨を示す情報を前記関連情報として前記運転者装置に送信する、ように構成されており、
前記施設側装置において、
前記相違判定手段は、前記運転者側装置から関連情報が送信されてきた場合に、前記しきい値以上相違しているパラメータが存在していると判定する、ように構成されている
ことを特徴とする請求項３に記載の情報提供システム。
【請求項５】
前記施設側装置において、
前記報知手段は、前記相違判定手段により前記しきい値以上相違しているパラメータが存在していると判定された場合にのみ、車両における各部分に、前記通常状態である各部の状態と相違している状態となっている部分がある旨を報知する、ように構成されている
ことを特徴とする請求項２または請求項３に記載の情報提供システム。
【請求項６】
前記車両側装置においては、
前記車両の現在地を示す位置情報を取得可能な位置特定手段と、
前記車両の現在地に応じて用意された複数の前記通常状態のうち、前記位置特定手段により特定された現在地に対応する通常状態を特定する状態特定手段と、を備え、
前記車両側送信手段が、前記検出状態，および，前記状態特定手段により特定される通常状態が関連づけられた情報を、前記関連情報として前記運転者側装置に送信する、ように構成されている
ことを特徴とする請求項１から５のいずれかに記載の情報提供システム。
【請求項７】
請求項１から６のいずれかに記載の車両側装置の備える全ての手段を備えている
ことを特徴とする端末装置。
【請求項８】
請求項１から６のいずれかに記載の施設側装置の備える全ての手段を備えている
ことを特徴とする端末装置。
【請求項９】
請求項１から６のいずれかに記載の車両側装置の備える全ての手段として機能させるための各種処理手順を、コンピュータシステムに実行させるためのプログラム。
【請求項１０】
請求項１から６のいずれかに記載の施設側装置の備える全ての手段として機能させるための各種処理手順を、コンピュータシステムに実行させるためのプログラム。
【発明の詳細な説明】
【技術分野】
【０００１】
本発明は、車両に関連する情報を提供する情報提供システムに関する。
【背景技術】
【０００２】
上述したような情報提供システムとしては、例えば、運転者が定めた車両の運転環境を運転者側装置（ＩＣカード）に記憶させておき、これを車両に備えられた車両側装置（車載機器）を介して読み取らせることで、その運転者の運転環境を車両側に提供する、といったシステムがある（特許文献１参照）。
【０００３】
このシステムであれば、車両において、そのように提供を受けた運転環境への設定を行うことにより、運転者それぞれに適した運転環境を容易に再現することができる。
【特許文献１】特開２００２−１２０６７０号公報
【発明の開示】
【発明が解決しようとする課題】
【０００４】
しかし、上述した情報提供システムは、あらかじめ設定された運転環境を再現することを目的とするものであるため、運転者が車両を利用するに際しての利便性を向上させることはできても、降車時の不具合を改善することはできない。
【０００５】
車両を降りる際には、例えば、運転者が各種ランプ類を消し忘れたり、ドアをロックすることを忘れたり，というように、降車する際に通常設定しておくべき状態とは異なる状態にしてしまうことがある。このような状態は、車両のバッテリを無用に消費させる，車両内への不正な侵入を許してしまい車両内に置かれた物品の盗難に遭いやすくなる，といったことの要因になってしまうため、望ましいことではない。
【０００６】
本発明は、このような課題を解決するためになされたものであり、その目的は、降車時に通常設定しておくべき状態とは異なる状態にしてしまうことに起因する不具合を改善するための技術を提供することである。
【課題を解決するための手段】
【０００７】
上記課題を解決するため請求項１に記載の情報提供システムは、車両に備えられる車両側装置と、該車両を運転する運転者に携帯させる運転者側装置と、運転者が立ち寄りうる施設に備えられる施設側装置と、で構成される情報提供システムである。
【０００８】
これらのうち、車両側装置は、車両における各部分の状態を検出する状態検出手段と、該状態検出手段により検出される状態に基づいて、運転者が降車したことを検出する降車検出手段と、該降車検出手段により運転者の降車が検出された際に、前記状態検出手段により検出される状態である検出状態，および，運転者が降車する際の通常の状態として定められた通常状態が関連づけられた関連情報を、前記運転者側装置に送信する車両側送信手段と、前記状態検出手段により状態が検出された際に、前記通常状態を、前記検出状態が反映された状態となるように修正する状態修正手段と、を備えている。
【０００９】
また、前記運転者側装置は、前記車両側装置から送信される関連情報を記憶する情報記憶手段と、該情報記憶手段により記憶された関連情報を、前記施設側装置に送信する運転者側送信手段と、を備えている。
【００１０】
そして、施設側装置は、前記運転者側装置から送信される関連情報に基づいて、該関連情報に関連づけられた前記検出状態と前記通常状態とが同視しうる状態であるか否か、および、同視しうる状態でない場合においてどの程度相違しているかを表す相違度合を判定する相違判定手段と、該相違判定手段による判定結果に応じた報知を行う報知手段と、を備えている。
【００１１】
このように構成された情報提供システムでは、運転者の降車が検出された際、その時点での車両における各部分の状態（検出状態），および，降車時における通常の状態（通常状態）が関連づけられた関連情報が運転者側装置にて記憶される。
【００１２】
その後、この運転者側装置を携帯する運転者が、施設側装置の備えられた施設（施設側装置の受信圏内）に到着すると、その運転者側装置において先に記憶された関連情報が施設側装置に送信される。この関連情報を受信した施設側装置では、その関連情報における検出状態と通常状態とがどの程度相違しているか否かの判定を経て、その判定結果に応じた報知が行われる。
【００１３】
そのため、降車時に車両における各部の状態が通常とは異なる不適切な状態になっていたとしても、施設側装置の報知により、運転者または施設の従業員など運転者周辺の者（以降、「運転者等」という）にそのように不適切な状態になっていることを認識させ、適切な状態に設定すべきことを促すことができる。
【００１４】
より具体的な例を挙げて説明すると、例えば、降車時に各種ランプ類を消すことがその各種ランプ類における通常状態である場合には、各種ランプ類を消し忘れてしまうと、その各種ランプ類の検出状態は通常状態と相違するものとなる。また、降車時にドアを施錠することがドアにおける通常状態である場合には、ドアの施錠を忘れてしまうと、そのドアの検出状態は通常状態と相違するものとなる。このような場合には、通常状態と相違していることを報知できるため、運転者等が各種ランプ類を消したり、ドアを施錠したりすることで、車両のバッテリを無用に消耗させたり、車両内に置かれた物品の盗難に遭うことを防止できる。
【００１５】
なお、この構成における状態検出手段により検出すべき状態は、車両における各部分の状態であればよく、その具体的な内容は特に限定されない。例えば、車両の内部または外部を照らす各種ランプ類の点灯状態，各ドアにおける施錠の状態，各ドアにおける窓の開閉状態，各ドアの開閉状態，エンジンの動作状態，などを検出することが考えられる。その他、車載カメラにより撮影される映像を車両内外の状態として検出することなども考えられる。
【００１６】
また、上述した降車検出手段は、運転者が降車したことを検出するための手段であって、例えば、状態検出手段がエンジンの動作状態や各ドアの開閉状態などを検出するように構成されている場合であれば、エンジンが停止したこと，エンジンが停止した状態が所定時間以上継続したこと，エンジンが停止して運転席側のドアにより一連の開閉動作が行われたこと，などを運転者が降車したこととして検出するように構成すればよい。
【００１７】
また、上述した運転者側装置の運転者側送信手段は、施設側装置に対して関連情報を送信する手段であり、その送信のタイミングについては特に限定されない。例えば、記憶部に記憶された関連情報を定期的に送信するように構成することが考えられる。また、施設側装置からの要求を受けたタイミングで関連情報を送信するように構成することも考えられる。
【００１８】
また、上述した報知手段による報知は、どのように行われる構成としてもよいが、例えば、表示装置に対してメッセージを表示させる，スピーカからメッセージを音声として出力させる，所定の通信先（例えば、電話番号，電子メールアドレスなど）にメッセージを送信する，といった構成を考えることができる。
【００１９】
また、上述した車両側送信手段により送信される関連情報について、その内容は特に限定されない。例えば、検出状態として検出された各部分の状態をそれぞれ数値化してなる１以上のパラメータ，および，通常状態である各部分の状態をそれぞれ数値化してなる１以上のパラメータそのものを、関連情報として送信することが考えられる。
【００２０】
このためには、例えば、請求項２に記載の情報提供システムのように構成するとよい。
この情報提供システムの車両側装置において、車両側送信手段は、前記降車検出手段により運転者の降車が検出された際に、前記検出状態として検出された各部分の状態をそれぞれ数値化したパラメータからなるパラメータ群，および，前記通常状態である各部分の状態をそれぞれ数値化したパラメータからなるパラメータ群を特定可能な情報を、前記関連情報として前記運転者側装置に送信する、ように構成されている。そして、施設側装置において、相違判定手段は、前記運転者側装置から送信される関連情報に基づいて、該関連情報で特定されるパラメータ群それぞれのパラメータを、車両における同一部分の状態を数値化したパラメータ同士で比較し、該比較したパラメータの中に、所定のしきい値以上相違しているパラメータが存在しているか否かを判定する、ように構成されている。
【００２１】
このように構成すれば、車両側装置は、単に各状態を数値化してなるパラメータそれぞれを関連情報として送信するだけでよく、検出状態と通常状態とがどの程度相違しているのかといった判定に関する処理を行う必要がない。これにより、車両側装置における処理の負荷を軽減することができる。
【００２２】
なお、この構成において、関連情報で特定されるパラメータそれぞれは、状態検出手段が各部分の状態をパラメータとして検出するものである場合であれば、そのパラメータそのものとすればよいし、そのパラメータを適切なデータ形式に変換したパラメータとしてもよい。
【００２３】
また、上述した車両側送信手段により送信される関連情報としては、検出状態と通常状態とがどの程度相違しているのかといった判定を行った結果を示す情報とすることも考えられる。
【００２４】
このためには、例えば、請求項３に記載の情報提供システムのように構成するとよい。
この情報提供システムの車両側装置においては、前記降車検出手段により運転者の降車が検出された際に、前記検出状態として検出された各部分の状態を数値化したパラメータからなるパラメータ群，および，前記通常状態である各部分の状態を数値化したパラメータからなるパラメータ群を、車両における同一部分の状態を数値化したパラメータ同士で比較する状態比較手段を備えている。そして、前記車両側送信手段が、前記状態比較手段による比較の結果を示す情報を、前記関連情報として前記運転者側装置に送信する、ように構成されている。また、施設側装置において、相違判定手段は、前記運転者側装置から送信される関連情報で示される比較の結果に基づいて、前記検出状態として検出された各部分の状態を数値化したパラメータの中に、前記通常状態である各部分の状態を数値化したパラメータと比較して所定のしきい値以上相違するパラメータが存在しているか否かを判定する、ように構成されている。
【００２５】
このように構成すれば、施設側装置は、運転者側装置から送信されてくる関連情報に基づいて、検出状態と通常状態とがどの程度相違しているのかを、その関連情報で示される比較結果から直ちに判定することができる。これにより、施設側装置において検出状態と通常状態とがどの程度相違しているのかを判定するための処理が必要なくなるため、その処理負荷を軽減することができる。このような負荷の軽減は、運転者側装置の数が多くなり、同一の施設側装置で多くの判定および報知を行わなければならないような状況下において特に有効といえる。
【００２６】
なお、この構成において、車両側送信手段により送信される関連情報は、状態比較手段による比較の結果を示すものであれば、どのような形式のものであってもよい。例えば、検出状態として検出された各部分の状態を数値化したパラメータの中に所定のしきい値以上相違するパラメータが存在しているか否かを、比較の結果とすることが考えられる。また、所定のしきい値以上相違するパラメータが存在しているか否か、および、存在している場合にどのパラメータがしきい値以上相違しているのかといったことを、比較の結果を示す情報とすることも考えられる。
【００２７】
また、この構成において、車両側装置の車両側送信手段は、状態比較手段による比較の結果を示す情報をその内容に拘わらず運転者側装置に送信するものとすればよいし、その内容に応じて関連情報を送信したり、送信しなかったりするものとしてもよい。
【００２８】
例えば、状態比較手段による比較により、所定のしきい値以上相違するパラメータが存在しているとの結果が得られた場合にのみ、その結果を示す情報を送信するようにすることが考えられる。このためには、例えば、請求項４に記載の情報提供システムのように構成するとよい。
【００２９】
この情報提供システムの車両側装置において、車両側送信手段は、前記状態比較手段による比較の結果、前記検出状態として検出された各部分の状態を数値化したパラメータの中に、前記通常状態である各部分の状態を数値化したパラメータと比較して所定のしきい値以上相違しているパラメータが存在している場合にのみ、その旨を示す情報を前記関連情報として前記運転者装置に送信する、ように構成されている。そして、施設側装置において、相違判定手段は、前記運転者側装置から関連情報が送信されてきた場合に、前記しきい値以上相違しているパラメータが存在していると判定する、ように構成されている。
【００３０】
このように構成すれば、所定のしきい値以上相違するパラメータが存在しているとの結果が得られた場合でなければ、車両側装置から運転者側装置，運転者側装置から施設側装置に対する通信が発生しない。そのため、所定のしきい値以上相違するパラメータが存在していない，つまり通常状態と同視しうる適切な状態である場合に、無用な通信が発生しないようにすることができ、これにより、各装置間のトラフィックを抑制することができる。
【００３１】
ところで、上述した各施設側装置の報知手段は、所定のしきい値以上相違するパラメータが存在しているか否かに拘わらず、その結果に応じた報知を行う構成とすればよいし、その結果に応じて報知を行ったり行わなかったりする構成としてもよい。
【００３２】
この後者のようにするためには、例えば、請求項５に記載の情報提供システムのように構成することが考えられる。
この情報提供システムは、報知手段が、前記相違判定手段により前記しきい値以上相違しているパラメータが存在していると判定された場合にのみ、車両における各部分に、前記通常状態である各部の状態と相違している状態となっている部分がある旨を報知する、ように構成されている。
【００３３】
このように構成すれば、しきい値以上相違しているパラメータが存在している場合でなければ、その旨の報知が行われない。そのため、しきい値以上相違しているパラメータが存在していない，つまり通常状態と同視しうる適切な状態である場合に報知を行わないようにすることで、無用な報知により運転者等を混乱させないようにすることができる。
【００３４】
また、上述した通常状態は、運転者が降車する際の通常の動作状態であり、その内容は予め定められた固定の値を示すものであればよい。しかし、運転者が降車する際の状態は、その運転者の好み，クセ，習慣などによって異なりうるものであることから、そのような事情に応じて修正できることが望ましい。そのための構成としては、例えば、上記構成のように構成することが考えられる。
【００３５】
この情報提供システムの車両側装置においては、前記状態検出手段により状態が検出された際に、前記通常状態を、前記検出状態が反映された状態となるように修正する状態修正手段を備えている。
【００３６】
このように構成すれば、状態検出手段により検出状態が検出される毎に、その検出状態との相違を判定する際の基準となる通常状態を、その検出された検出状態，つまり運転者の好み，クセ，習性などが反映されたものへと修正することができる。
【００３７】
なお、この構成における状態修正手段は、状態検出手段により状態が検出される毎に、全ての検出状態に基づいて通常状態を修正する構成とすればよいが、その検出状態に応じて修正したりしなかったりするように構成してもよい。例えば、状態検出手段により検出された状態が、その時点における通常状態と同一の状態またはこれと近似する状態である場合には、この通常状態の修正をしないように構成することが考えられる。
【００３８】
また、この状態修正手段による通常状態の修正方法については特に限定されない。例えば、状態検出手段により状態が検出される毎に、検出状態の履歴を記録していき、そうして記録された検出状態を平均化した状態を、新たな通常状態とすることが考えられる。
【００３９】
また、上述した各情報提供システムにおける通常状態は、１種類のみ用意しておけばよいが、複数のものを用意しておき、条件に応じて使い分けるように構成してもよい。その場合における「条件」としては、例えば、車両の現在地を考えることができる。
【００４０】
このように、車両の現在地に応じて通常状態を使い分けるための構成としては、例えば、請求項６に記載の情報提供システムのように構成することが考えられる。
この情報提供システムの車両側装置においては、前記車両の現在地を示す位置情報を取得可能な位置特定手段と、前記車両の現在地に応じて用意された複数の前記通常状態のうち、前記位置特定手段により特定された現在地に対応する通常状態を特定する状態特定手段と、を備えている。そして、前記車両側送信手段が、前記検出状態，および，前記状態特定手段により特定される通常状態が関連づけられた情報を、前記関連情報として前記運転者側装置に送信する、ように構成されている。
【００４１】
このように構成すれば、車両の現在地に応じて、複数の通常状態を使い分けることができる。これにより、車両の現在地に応じて各部分の状態が異なるような使用環境においても、検出状態と通常状態との相違を適切に判定できるようになる。
【００４２】
また、請求項７に記載の端末装置は、請求項１から６のいずれかに記載の車両側装置の備える全ての手段を備えている。
このように構成された端末装置によれば、請求項１から６のいずれかに記載の情報提供システムの一部を構成することができる。
【００４３】
また、請求項８に記載の端末装置は、請求項１から６のいずれかに記載の施設側装置の備える全ての手段を備えている。
このように構成された端末装置によれば、請求項１から６のいずれかに記載の情報提供システムの一部を構成することができる。
【００４４】
また、請求項９に記載のプログラムは、請求項１から６のいずれかに記載の車両側装置の備える全ての手段として機能させるための各種処理手順を、コンピュータシステムに実行させるためのプログラムである。
【００４５】
このようなプログラムにより制御されるコンピュータシステムは、請求項１から６のいずれかに記載の情報提供システムの一部を構成することができる。
また、請求項１０に記載のプログラムは、請求項１から６のいずれかに記載の施設側装置の備える全ての手段として機能させるための各種処理手順を、コンピュータシステムに実行させるためのプログラムである。
【００４６】
このようなプログラムにより制御されるコンピュータシステムは、請求項１から６のいずれかに記載の情報提供システムの一部を構成することができる。
なお、上述した各プログラムは、コンピュータシステムによる処理に適した命令の順番付けられた列からなるものであって、各種記録媒体や通信回線を介して車両側装置，施設側装置や、これらを利用するユーザに提供されるものである。
【発明を実施するための最良の形態】
【００４７】
以下に本発明の実施形態を図面と共に説明する。
（１）全体構成
情報提供システム１は、図１に示すように、車両１００に搭載された車両側装置１０，車両１００を運転する運転者に携帯させる運転者側装置２０，運転者が立ち寄りうる施設に備えられた施設側装置３０などからなる。
【００４８】
車両側装置１０は、車両側装置１０全体の動作を制御する制御部１２，各種情報を記憶するための記憶部１４，運転者側装置２０に対して無線通信にてデータを送信する通信部１６などを備えている。これらのうち、制御部１２は、車両１００における各種装置と通信可能に接続され、これら装置それぞれからその通知を受けるように構成されている。
【００４９】
この車両１００における各種装置とは、それぞれが車両１００各部分の状態を検出し、その検出結果を示す情報を定期的に，または，車両側装置１０からの要求を受けて、車両側装置１０へと通知するように構成されたものである。この車両１００における各種装置としては、例えば、以下に示すようなものがある。
・エンジン制御装置１１１：エンジンの制御を実施する装置であって、エンジンの始動，停止といった動作状態を検出し、その動作状態を数値化（例えば、始動は「１」，停止は「０」など）したパラメータを車両側装置１０に通知する。
・車両外照明制御装置１１３：車両１００外部に備えられたランプ類の点灯および消灯を制御する装置であって、ランプ類の点灯，消灯といった状態を検出し、その状態を数値化（例えば、点灯は「１」，消灯は「０」など）したパラメータを車両側装置１０に通知する。
・車両内照明制御装置１１５：車両１００内部に備えられたランプ類の点灯および消灯を制御する装置であって、ランプ類の点灯，消灯といった状態を検出し、その状態を数値化（例えば、点灯は「１」，消灯は「０」など）したパラメータを車両側装置１０に通知する。
・ドアロック制御装置１１７：車両１００におけるドアの施錠および解錠を制御する装置であって、ドアの施錠，解錠といった状態を検出し、その状態を数値化（例えば、施錠は「１」，解錠は「０」など）したパラメータを車両側装置１０に通知する。
・パワーウインド制御装置１１９：車両１００における窓の開閉を制御する装置であって、窓の開閉度合いといった状態を検出し、その状態を数値化（例えば、開閉度合いに応じて「１０」〜「０」など）したパラメータを車両側装置１０に通知する。
・モニタカメラ１２１：車両１００内部を撮影する装置であって、車両１００内部の状態を検出（撮影）し、その状態を示すパラメータ（画像）を車両側装置１０に通知（送信）する。
【００５０】
運転者側装置２０は、運転者側装置２０全体の動作を制御する制御部２２，後述する関連情報など各種情報を記憶するための記憶部２４，車両側装置１０および施設側装置３０それぞれとの間で無線通信を実現する通信部２６などを備えている。なお、本実施形態において、この運転者側装置２０は、車両１００のエンジンキーと一体に構成されている。
【００５１】
施設側装置３０は、施設側装置３０全体の動作を制御する制御部３２，運転者側装置２０との間で無線通信を行う通信部３４，後述する処理に従って各種情報の報知を行う情報報知部３６などを備えている。これらのうち、情報報知部３６は、制御部３２からの指令に従って各種情報を表示する表示装置により構成されている。
（２）車両側装置１０による状態通知処理
以下に、車両側装置１０の制御部１２により実行される状態通知処理の処理手順を図２に基づいて説明する。この状態通知処理は、車両１００の起動（イグニッションキーＯＮ）に伴って車両側装置１０が起動した以降、繰り返し実行される。
【００５２】
この状態通知処理が起動されると、まず、運転者の降車が検出されるまでの待機がなされる（ｓ１１０：ＮＯ）。ここでは、車両１００における各種装置のうち、エンジン制御装置１１１からエンジンの停止が通知され、その後、一定時間（例えば、１０秒）内にエンジンの始動が通知されなかったことをもって、運転者の降車が検出されたと判定する。
【００５３】
このｓ１１０で、運転者の降車が検出されたと判定された場合（ｓ１１０：ＹＥＳ）、現時点での車両１００における各部分の状態を示すパラメータが収集される（ｓ１２０）。ここでは、車両１００における装置それぞれに対して状態の通知が要求され、この要求に応じて通知されてきたパラメータが収集される。こうして収集されたパラメータで示される状態それぞれは、現時点で検出された車両１００における各部分の状態（以降、「検出状態」という）である。
【００５４】
次に、通常状態を示すパラメータそれぞれが記憶部１４から読み出される（ｓ１３０）。この「通常状態」とは、運転者が通常の状況で降車するときの車両１００における各部分の状態（いつも通りに降車するときの状態として想定される状態）のことである。また、「通常状態を示すパラメータ」とは、そのような状態をそれぞれ数値化して表したものであり、あらかじめ記憶部１４に記憶されたものである。なお、これら「通常状態を示すパラメータ」それぞれは、以降の処理でその内容が適宜更新されるものであり、その更新時の算出に用いられる後述の「累積値」，「累積回数」を示す情報が対応付けられた状態で記憶部１４に記憶されている。
【００５５】
次に、ｓ１２０にて収集されたパラメータ群（以降、「検出パラメータ群」という），および，ｓ１３０にて読み出されたパラメータ群（以降、「通常パラメータ群」という）それぞれが関連づけられた関連情報が生成され、これが、通信部１６を介して運転者側装置２０に送信される（ｓ１４０）。ここでは、上述した各パラメータ群そのものを示す情報が関連情報として生成される。このｓ１４０にて送信された関連情報を受信した運転者側装置２０では、その関連情報が記憶部２４に記憶（上書き）される。
【００５６】
次に、検出パラメータ群および通常パラメータ群それぞれの照合が行われる（ｓ１５０）。ここでは、検出パラメータ群のパラメータが、それぞれ通常パラメータ群のパラメータにおいて対応するパラメータと比較され、このパラメータと所定のしきい値以上相違しているパラメータ（本実施形態では、一致しないパラメータ）が存在するか否かがチェックされる。なお、上述した「通常パラメータ群のパラメータにおいて対応するパラメータ」とは、通常パラメータ群のパラメータのうち、そのパラメータにて状態が表される車両１００の部分が、検出パラメータ群における対象パラメータ（照合の対象となるパラメータ）にて状態が表される車両１００の部分と一致するパラメータのことである。
【００５７】
次に、ｓ１５０による照合の結果に基づいて、検出パラメータ群のパラメータの中に、通常パラメータ群のパラメータにおいて対応するパラメータと所定のしきい値以上相違しているパラメータが存在しているか否かがチェックされる（ｓ１６０）。
【００５８】
このｓ１６０で、上記しきい値以上相違しているパラメータが存在してないと判定された場合（ｓ１６０：ＮＯ）、プロセスがｓ１１０へ戻る。
一方、ｓ１６０で、上記しきい値以上相違しているパラメータが存在していると判定された場合（ｓ１６０：ＹＥＳ）、通常状態を更新するための更新パラメータが算出される（ｓ１７０）。ここでは、まず、通常パラメータ群のパラメータそれぞれについて、そのパラメータに対応付けられた「累積値」に、検出パラメータ群のパラメータにおいて対応するパラメータが加算され、また、同じく対応付けられた「累積回数」に、「１」が加算される。なお、上述した「検出パラメータ群のパラメータにおいて対応するパラメータ」とは、検出パラメータ群のパラメータのうち、そのパラメータにて状態が表される車両１００の部分が、通常パラメータ群における対象パラメータ（算出の対象となるパラメータ）にて状態が表される車両１００の部分と一致するパラメータのことである。そして、通常パラメータ群のパラメータそれぞれについて、そのパラメータに対応付けられた「累積値」が同じく対応付けられた「累積回数」で除算され、こうして除算された値が、そのパラメータの更新パラメータとして算出される。
【００５９】
そして、記憶部１４に記憶された「通常状態を示すパラメータ」が、ｓ１７０にて算出された更新パラメータそれぞれに更新された後（ｓ１８０）、プロセスがｓ１１０へ戻る。このｓ１８０において、記憶部１４に記憶されたパラメータそれぞれは、ｓ１７０にて算出されたパラメータにおいて対応するパラメータに更新（上書き）される。ここで、「ｓ１７０にて算出されたパラメータにおいて対応するパラメータ」とは、ｓ１７０にて算出されたパラメータのうち、そのパラメータにて状態が表される車両１００の部分が、記憶部１４に記憶された「通常状態を示すパラメータ」における対象パラメータ（更新の対象となるパラメータ）にて状態が表される車両１００の部分と一致するパラメータのことである。
（３）施設側装置３０による情報報知処理
以下に、施設側装置３０の制御部３２により実行される情報報知処理の処理手順を図３に基づいて説明する。この情報報知処理は、施設側装置３０が起動した以降、繰り返し実行される。
【００６０】
この情報報知処理が起動されると、まず、所定の待機時間（例えば、１秒）を経て、運転者側装置２０に対して関連情報が要求される（ｓ２１０）。この要求は、施設側装置３０の受信圏内に存在する運転者側装置２０に受信され、この要求を受けた運転者側装置２０からは、その運転者側装置２０の所有者（運転者）を識別可能な情報と共に、記憶部２４に記憶された関連情報が返信されてくる。
【００６１】
次に、ｓ２１０による要求の後、所定時間（例えば、５００ｍｓ）以内に関連情報が送信されてきたか否かがチェックされる（ｓ２２０）。
このｓ２２０で、所定時間以内に関連情報が送信されてこないと判定された場合（ｓ２２０：ＮＯ）、プロセスがｓ２１０へ移行する。
【００６２】
一方、ｓ２２０で、所定時間以内に関連情報が送信されてきたと判定された場合（ｓ２２０：ＹＥＳ）、そのように受信された関連情報で示される検出パラメータ群，通常パラメータ群それぞれの照合が行われる（ｓ２３０）。ここでは、検出パラメータ群のパラメータが、それぞれ通常パラメータ群のパラメータにおいて対応するパラメータと比較され、このパラメータと所定のしきい値以上相違しているパラメータ（本実施形態では、３０％以上の差があるパラメータ）が存在するか否かがチェックされる。なお、上述した「通常パラメータ群のパラメータにおいて対応するパラメータ」とは、上述したのと同様のパラメータのことである。
【００６３】
次に、ｓ２３０による照合の結果に基づいて、検出パラメータ群のパラメータの中に、通常パラメータ群のパラメータにおいて対応するパラメータと所定のしきい値以上相違しているパラメータが存在しているか否かがチェックされる（ｓ２４０）。
【００６４】
このｓ２４０で、上記しきい値以上相違しているパラメータが存在してないと判定された場合（ｓ２４０：ＮＯ）、プロセスがｓ２１０へ戻る。
一方、ｓ２４０で、上記しきい値以上相違しているパラメータが存在していると判定された場合（ｓ２４０：ＹＥＳ）、その旨の情報が報知される（ｓ２５０）。ここでは、情報報知部３６に対してメッセージを表示すべき旨を指令し、この指令を受けた情報報知部３６が、そのメッセージの表示を行う。なお、ここで表示されるメッセージは、ｓ２２０にて受信した関連情報を送信してきた運転者側装置２０を所有するユーザの車両１００が、いつもと違う状態で降車された状態であることを知らせるためのものである。
（４）作用，効果
このように構成された情報提供システム１では、運転者の降車が検出された際（図２のｓ１１０で「ＹＥＳ」）、その時点での車両１００における各部分の状態（検出状態），および，降車時における通常の状態（通常状態）が関連づけられた関連情報が運転者側装置２０にて記憶される（同図ｓ１４０）。
【００６５】
その後、この運転者側装置２０を携帯する運転者が、施設側装置３０の備えられた施設（施設側装置３０の受信圏内）に到着すると、その運転者側装置２０において先に記憶された関連情報が施設側装置３０に送信される（図３のｓ２２０）。この関連情報を受信した施設側装置３０では、その関連情報における検出状態と通常状態とがどの程度相違しているか否かの判定を経て、その判定結果に応じた報知が行われる（同図ｓ２３０〜ｓ２５０）。
【００６６】
そのため、降車時に車両における各部の状態が通常とは異なる不適切な状態になっていたとしても、施設側装置３０の報知により、運転者または施設の従業員など運転者周辺の者（以降、「運転者等」という）にそのように不適切な状態になっていることを認識させ、適切な状態に設定すべきことを促すことができる。
【００６７】
より具体的な例を挙げて説明すると、例えば、降車時に各種ランプ類を消すことがその各種ランプ類における通常状態である場合には、各種ランプ類を消し忘れてしまうと、その各種ランプ類の検出状態は通常状態と相違するパラメータになる。また、降車時にドアを施錠することがドアにおける通常状態である場合には、ドアの施錠を忘れてしまうと、そのドアの検出状態は通常状態と相違するパラメータになる。このような場合には、通常状態と相違していることを報知できるため、運転者等が各種ランプ類を消したり、ドアを施錠したりすることで、車両のバッテリを無用に消耗させてしまうこと，車両内に置かれた物品の盗難に遭うことを防止できる。
【００６８】
また、車両側装置１０は、通常状態および検出状態それぞれを示すパラメータ群を関連情報として送信することで、運転者側装置２０を介して車両１００の状態を示す情報を施設側装置３０に送信している。そして、この関連情報を受信した施設側装置３０が、検出状態と通常状態とがどの程度相違しているのかといった判定に関する処理を行うように構成されている。そのため、車両側装置１０は、このように数値化したパラメータを送信するだけでよく、検出状態と通常状態とがどの程度相違しているのかといった判定に関する処理を行う必要がない。これにより、車両側装置１０における処理の負荷を軽減することができる。
【００６９】
また、上記実施形態において、施設側装置３０は、パラメータ群の照合を経てしきい値以上相違するパラメータがある場合にのみ、その旨の報知を行うように構成されている（図３のｓ２４０，ｓ２５０）。そのため、しきい値以上相違しているパラメータが存在していない，つまり通常状態と同視しうる適切な状態である場合に報知を行わないようにすることで、無用な報知により運転者等を混乱させないようにすることができる。
【００７０】
また、上記実施形態において、車両側装置１０は、検出状態を示すパラメータを収集した後、こうして収集したパラメータに基づいて、通常状態を示すパラメータを更新している（図２のｓ１７０，ｓ１８０）。そのため、検出状態を示すパラメータを収集する毎に、そのパラメータが通常状態を示すパラメータとしきい値以上相違することを前提として、通常状態を、その収集したパラメータ，つまり運転者の好み，クセ，修正などが反映されたものへと修正することができる。
（５）変形例
以上、本発明の実施の形態について説明したが、本発明は、上記実施形態に何ら限定されることはなく、本発明の技術的範囲に属する限り種々の形態をとり得ることはいうまでもない。
【００７１】
例えば、上記実施形態においては、運転者側装置２０が、エンジンキーと一体に構成された装置である場合を例示した。しかし、この運転者側装置２０は、エンジンキー以外で運転者が携帯する他の装置と一体に構成したり、運転者側装置２０単体の装置として構成してもよい。具体的な例としては、携帯電話端末と一体に構成したり、運転者側装置２０をＩＣカードとして構成することが考えられる。
【００７２】
また、上記実施形態においては、運転者側装置２０が車両側装置１０との間で無線通信によりデータを受信するように構成されたものを例示した。しかし、運転者側装置２０による車両側装置１０からのデータの受信は、運転者側装置２０を車両側装置１０と物理的な手法にて接続し、その接続経路を介して行うように構成してもよい。
【００７３】
また、上記実施形態においては、運転者側装置２０が、施設側装置３０に対して、その運転者側装置２０の所有者を識別可能な情報と共に、関連情報を返信するように構成されたものを例示した。しかし、運転者側装置２０は、関連情報を、識別情報以外の情報と共に施設側装置３０に対して返信するように構成してもよい。具体的な例としては、例えば、車両１００を特定可能な情報として、車種，ナンバー，色などの情報を、関連情報と共に返信するように構成することが考えられる。そして、施設側装置３０において、そのような情報をも報知するようにすれば、運転者等は、施設側装置３０により報知が行われた際、その報知によりどの車両１００が不適切な状態になっているのかをより適格に認識することができる。
【００７４】
また、上記実施形態においては、車両１００における各種装置が、定期的にパラメータを車両側装置１０に通知するように構成された場合を例示した。しかし、車両１００における各種装置は、定期的な通知だけでなく、状態の変化があった際に、その変化後の状態を示すパラメータを通知するように構成してもよい。
【００７５】
また、上記実施形態においては、エンジン制御装置１１１からエンジンが停止したことが通知されたことをもって（図２のｓ１１０）、運転者の降車が検出されたと判定するように構成されたものを例示した。しかし、他の条件が満たされたことをもって、運転者の降車が検出されたと判定するように構成してもよい。
【００７６】
例えば、車両側装置１０が、各種制御装置または専用のセンサなどにより車両１００におけるドアの開閉を検出できるように構成されている場合であれば、エンジン制御装置１１１からエンジンが停止したことが通知された後、ドアの開閉動作が１回行われたことが検出されたことをもって、運転者の降車が検出されたと判定するように構成すればよい。
【００７７】
また、上記実施形態においては、ランプ類，ドアの施錠および解錠，窓の開閉，車両１００内部の画像などが、車両側装置１０に対して通知されるように構成された場合を例示した。しかし、車両側装置１０に対してパラメータを通知する装置としては、これ以外の装置を採用してもよい。例えば、ドアの開閉状態を検出する装置が考えられ、こうして検出した状態を数値化（例えば、開いた状態は「０」，閉じた状態は「１」など）したパラメータを車両側装置１０に通知するように構成すればよい。
【００７８】
また、上記実施形態においては、施設側装置３０による情報の報知が、メッセージを表示することにより、車両１００がいつもと違う状態で降車された状態であることを知らせるように構成されたものを例示した。しかし、この情報の報知は、メッセージを表示する以外の方法により行う構成としてもよい。例えば、スピーカからメッセージを音声として出力させる，所定の通信先（例えば、電話番号，電子メールアドレスなど）にメッセージを送信する，といった構成を考えることができる。
【００７９】
また、上記実施形態においては、施設側装置３０による報知が、パラメータ群の照合を経てしきい値以上相違するパラメータがあると判定される場合にのみ行われるように構成されたものを例示した（図２のｓ２４０，ｓ２５０）。しかし、しきい値以上相違するパラメータがないと判定された場合に、その旨の報知を行うように構成してもよい。
【００８０】
また、上記実施形態においては、車両側装置１０が、検出状態を示すパラメータを収集した後、そのパラメータが通常状態を示すパラメータとしきい値以上相違することを前提として、通常状態を修正するように構成されたものを例示した。しかし、このような修正は、収集したパラメータが通常状態を示すパラメータとしきい値以上相違するか否かに拘わらず行うように構成してもよい。具体的にいうと、図２におけるｓ１５０の後、ｓ１６０を行うことなく、ｓ１７０へ移行するように構成すればよい。
【００８１】
また、上記実施形態においては、車両側装置１０が検出パラメータ群，通常パラメータ群を示す関連情報を送信し、この関連情報を受信した施設側装置３０がパラメータの相違を判定するように構成された場合を例示した。しかし、このような判定を車両側装置１０にて行い、車両側装置１０が、その判定結果のみを関連情報として送信するように構成してもよい。
【００８２】
このためには、例えば、車両側装置１０による状態通知処理を、ｓ１３０の後、ｓ１４０を行うことなくｓ１５０へ移行し、ｓ１６０で「ＹＥＳ」と判定された場合のみ、その判定結果を関連情報として運転者側装置２０に送信する（ｓ１４０）、ものとすればよい（図４参照）。そして、施設側装置３０による情報報知処理を、図３のｓ２２０で関連情報を受信したら、ｓ２３０，ｓ２４０を行うことなくｓ２５０で情報の報知を行うものとすればよい（図５参照）。ここで、関連情報としては、単にパラメータの照合を経てしきい値以上相違するパラメータがあるか否かといった情報であってもよく、具体的にどのパラメータがどの程度相違しているのかといったことまで示された情報であってもよい。
【００８３】
このように構成すれば、施設側装置３０は、運転者側装置２０から送信されてくる関連情報に基づいて、検出状態と通常状態とがどの程度相違しているのかを、その関連情報で示される判定結果から直ちに判定することができる。これにより、施設側装置３０において検出状態と通常状態とがどの程度相違しているのかを判定するための処理が必要なくなるため、その処理負荷を軽減することができる。このような負荷の軽減は、運転者側装置２０の数が多くなり、同一の施設側装置３０で多くの判定および報知を行わなければならないような状況下において特に有効といえる。
【００８４】
また、この構成では、照合を経てしきい値以上相違するパラメータが存在している場合にのみ関連情報が送信される。つまり、所定のしきい値以上相違するパラメータが存在しているとの結果が得られた場合でなければ、車両側装置１０から運転者側装置２０，運転者側装置２０から施設側装置３０に対する通信が発生しない。そのため、所定のしきい値以上相違するパラメータが存在していない，つまり通常状態と同視しうる適切な状態である場合に、無用な通信が発生しないようにすることができ、これにより、各装置間のトラフィックを抑制することができる。
【００８５】
なお、この構成において、照合を経てしきい値以上相違するパラメータが存在しているか否かに拘わらず、その結果を示す情報を関連情報として送信するように構成してもよい。具体的には、関連情報を送信する処理（図４のｓ１４０）を、同図ｓ１５０の直後に行うように構成すればよい（図６参照）。
【００８６】
また、上述した各情報提供システム１において、車両側装置１０の記憶部１４に記憶されている通常状態（通常パラメータ群）は、１種類のみ用意しておけばよいが、複数のものを用意しておき、条件に応じて使い分けるように構成してもよい。その場合における「条件」としては、例えば、車両１００の現在地を考えることができる。
【００８７】
このためには、例えば、図２のｓ１２０にて、他のパラメータと共にナビゲーション装置１２３（図１参照）から現在地を数値化してなるパラメータを取得し、同図ｓ１３０にて、車両１００の現在地に応じて用意された複数の通常状態のうち、現在地（を数値化してなるパラメータ）に対応する通常状態を読み出すように構成することが考えられる。
【００８８】
このように構成すれば、車両１００の現在地に応じて、複数の通常状態を使い分けることができる。これにより、車両１００の現在地に応じて各部分の状態が異なるような使用環境においても、検出状態と通常状態との相違を適切に判定できるようになる。
（６）本発明との対応関係
以上説明した実施形態において、図２のｓ１２０が本発明における状態検出手段および位置特定手段であり、同図ｓ１１０が本発明における降車検出手段であり、同図ｓ１４０が本発明における車両側送信手段であり、同図ｓ１５０，ｓ１６０が本発明における状態比較手段であり、同図ｓ１７０，ｓ１８０が本発明における状態修正手段である。
【００８９】
また、運転者側装置２０の記憶部２４が本発明における情報記憶手段であり、通信部２６が本発明における運転者側送信手段である。
また、図３のｓ２３０，ｓ２４０が本発明における相違判定手段であり、同図ｓ２５０が本発明における報知手段である。
【図面の簡単な説明】
【００９０】
【図１】情報提供システムの全体構成を示すブロック図
【図２】状態通知処理を示すフローチャート
【図３】情報報知処理を示すフローチャート
【図４】別の実施形態における状態通知処理を示すフローチャート
【図５】別の実施形態における情報報知処理を示すフローチャート
【図６】別の実施形態における状態通知処理を示すフローチャート
【符号の説明】
【００９１】
１…情報提供システム、１０…車両側装置、１２…制御部、１４…記憶部、１６…通信部、２０…運転者側装置、２２…制御部、２４…記憶部、２６…通信部、３０…施設側装置、３２…制御部、３４…通信部、３６…情報報知部。
【図１】
0004412298.tif 000002
【図２】
0004412298.tif 000003
【図３】
0004412298.tif 000004
【図４】
0004412298.tif 000005
【図５】
0004412298.tif 000006
【図６】
0004412298.tif 000007